(57)【要約】【課題】電子機器のディスプレイに対して適宜シートを着脱でき、さらにシートをディスプレイから外したときには当該シートを収納できる機構を提案する。【解決手段】一端９が電子機器に接着されたシート８と、その電子機器に形成された摺動溝７に掛止されるとともに該摺動溝に沿って移動する掛止部材と、シートの他端が接着されるとともに掛止部材６と接合された軸部１４に軸支され、シート８が巻回されるローラ部１３と、該ローラ部１３を収納するカバー部５に設けられ、該カバー部５の移動に伴い電子機器に設置されたディスプレイ３と接触して該ディスプレイ３を拭く第１の掃拭部１０とを備え、電子機器のディスプレイ３近傍の第１の位置にて、シート８をローラ部１３により巻き戻してカバー部５内に収納し、ディスプレイ３を間に挟んで第１の位置と対向する第２の位置にて、シート８でディスプレイ３の表面を覆うように構成する。【選択図】図２
2007243589.tif 000002
【特許請求の範囲】
【請求項１】
一端が電子機器に接着されたシートと、
前記電子機器に形成された摺動溝に掛止されるとともに該摺動溝に沿って移動する掛止部材と、
前記シートの他端が接着されるとともに前記掛止部材と接合された軸部に軸支され、前記シートが巻回されるローラ部と、
前記ローラ部を収納するカバー部に設けられ、該カバー部の移動に伴い前記電子機器に設置されたディスプレイと接触して該ディスプレイを拭く第１の掃拭部とを備え、
前記電子機器の前記ディスプレイ近傍の第１の位置にて、前記シートを前記ローラ部により巻き戻して前記カバー部内に収納し、
前記ディスプレイを間に挟んで前記第１の位置と対向する第２の位置にて、前記シートで前記ディスプレイの表面を覆う
ことを特徴とするシート着脱装置。
【請求項２】
前記カバー部が前記第１の位置から前記第２の位置に移動する際、前記第１の掃拭部で前記ディスプレイの表面を拭くとともに、前記シートを前記ディスプレイ上に展開し、
前記第２の位置から前記第１の位置に移動する際、前記ローラ部が前記シートを巻き戻す
ことを特徴とする請求項１に記載のシート着脱装置。
【請求項３】
前記摺動溝は前記電子機器の筐体の側面に設けられ、前記掛止部材と前記摺動溝との接点から前記ディスプレイが設けられた平面までの距離が、前記第１の位置における距離よりも前記第２の位置における距離が大きくなるように形成されている
ことを特徴とする請求項１に記載のシート着脱装置。
【請求項４】
前記ローラ部を軸支する前記掛止部材の上下方向への移動に対応して、前記カバー部の側面は、前記ローラ部を軸支している前記掛止部材の径と比較して上下方向の径が大きい孔が形成されている
ことを特徴とする請求項３に記載のシート着脱装置。
【請求項５】
前記カバー部に、該カバー部が前記第２の位置から前記第１の位置へ移動する際、前記シートと接触して該シートを拭く第２の掃拭部が形成されてなる
ことを特徴とする請求項１に記載のシート着脱装置。
【請求項６】
前記掛止部材は前記電子機器の前記摺動溝が形成されている面と略垂直な方向への可撓性を有する
ことを特徴とする請求項１に記載のシート着脱装置。
【請求項７】
前記シートの前記ディスプレイと対向する面に接着剤が塗布されており、前記シートを前記ディスプレイ上に展開すると同時に前記ディスプレイの表面に貼り付ける
ことを特徴とする請求項１に記載のシート着脱装置。
【請求項８】
前記シートの一端は、前記第１の位置において前記カバー部により前記電子機器に押し付けられることで、前記電子機器に接着される
ことを特徴とする請求項１に記載のシート着脱装置。
【請求項９】
ディスプレイを有する電子機器において、
一端が前記電子機器に接着されたシートと、
前記電子機器に形成された摺動溝に掛止されるとともに該摺動溝に沿って移動する掛止部材と、
前記シートの他端が接着されるとともに前記掛止部材と接合された軸部に軸支され、前記シートが巻回されるローラ部と、
前記ローラ部を収納するカバー部に設けられ、該カバー部の移動に伴い前記電子機器に設置されたディスプレイと接触して該ディスプレイを拭く掃拭部と
から構成されるシート着脱装置を備え、
前記シート着脱装置が前記電子機器の前記ディスプレイ近傍の第１の位置にあるとき、前記シートが前記ローラ部に巻き戻されて前記カバー部内に収納され、
前記シート着脱装置が前記ディスプレイを間に挟んで前記第１の位置と対向する第２の位置にあるとき、前記ディスプレイの表面が前記シートで覆われる
ことを特徴とする電子機器。
【発明の詳細な説明】
【技術分野】
【０００１】
本発明は、携帯電話機等の電子機器のディスプレイ表面にディスプレイシートを着脱するシート着脱装置、及び該シート着脱装置を備える電子機器に関する。
【背景技術】
【０００２】
従来、携帯電話機のディスプレイに貼り付けるディスプレイシート（以下、「シート」と称する）が数多く市販されている。例えば、ディスプレイを保護して傷が付くのを防止する保護シート、覗き見を防ぐ視野角制御シート（覗き見防止シート）、鏡として機能するミラーシート、反射を防ぐ反射防止シート（ＡＲシート）など、複数の種類がある。
【発明の開示】
【発明が解決しようとする課題】
【０００３】
ところで、このようなシートを携帯電話機のディスプレイに貼り付けると、ディスプレイとシートとの間にごみや指紋が残ったまま貼り付けてしまい、汚くなってしまう。また、貼ったり剥がしたりできるシートも販売されているが、シートを取り外した際には取り外したシートを携帯電話機とは別に保管する必要があるなど、管理が面倒であるという問題があった。
【０００４】
前述のように、シートには様々な種類があるが、例えばＡＲシートは屋外では反射を防止するのに役立つ一方、透過率が悪く、室内ではディスプレイの見栄えを劣化させてしまう。必要に応じてシートを剥がして取り外すことができればよいが、シートを簡単に取り外して収納できる機構や、該機構を備えた電子機器といったものは存在せず、このような技術に関する文献も現時点では見当たらない。
【０００５】
本発明は斯かる点に鑑みてなされたものであり、電子機器のディスプレイに対して適宜シートを着脱でき、さらにシートをディスプレイから外したときには当該シートを収納することができる機構を提案することを目的とする。
【課題を解決するための手段】
【０００６】
上記課題を解決するため、本発明のシート着脱装置は、一端が電子機器に接着されたシートと、前記電子機器に形成された摺動溝に掛止されるとともに該摺動溝に沿って移動する掛止部材と、前記シートの他端が接着されるとともに前記掛止部材と接合された軸部に軸支され、前記シートが巻回されるローラ部と、前記ローラ部を収納するカバー部に設けられ、該カバー部の移動に伴い前記電子機器に設置されたディスプレイと接触して該ディスプレイを拭く第１の掃拭部とを備え、前記電子機器の前記ディスプレイ近傍の第１の位置にて、前記シートを前記ローラ部により巻き戻して前記カバー部内に収納し、前記ディスプレイを間に挟んで前記第１の位置と対向する第２の位置にて、前記シートで前記ディスプレイの表面を覆うことを特徴とする。
【０００７】
上述の構成によれば、電子機器に掛止したシート着脱装置により、ディスプレイに対して必要に応じてシートを自在に取り付けることができ、かつシートを取り外したときには該シートを、電子機器から離すことなく電子機器に掛止した当該シート着脱装置に収納することができる。
【０００８】
本発明による電子機器は、一端が前記電子機器に接着されたシートと、前記電子機器に形成された摺動溝に掛止されるとともに該摺動溝に沿って移動する掛止部材と、前記シートの他端が接着されるとともに前記掛止部材と接合された軸部に軸支され、前記シートが巻回されるローラ部と、前記ローラ部を収納するカバー部に設けられ、該カバー部の移動に伴い前記電子機器に設置されたディスプレイと接触して該ディスプレイを拭く掃拭部とから構成されるシート着脱装置を備え、前記シート着脱装置が前記電子機器の前記ディスプレイ近傍の第１の位置にあるとき、前記シートが前記ローラ部に巻き戻されて前記カバー部内に収納され、前記シート着脱装置が前記ディスプレイを間に挟んで前記第１の位置と対向する第２の位置にあるとき、前記ディスプレイの表面が前記シートで覆われることを特徴とする。
【０００９】
上記構成によれば、電子機器にシート着脱装置を装着して該シート装着装置の位置を変えることにより、ディスプレイにシートが自在に取り付けられ、かつシートを取り外したときに該シートは、電子機器に装着されたシート着脱装置に収納される。
【発明の効果】
【００１０】
本発明によれば、電子機器のディスプレイに対して適宜シートを着脱することができ、さらにシートをディスプレイから取り外したときには当該シートを電子機器から離すことなく収納、管理することができる。
【発明を実施するための最良の形態】
【００１１】
以下、本発明によるシート着脱装置及び電子機器の実施形態の例について添付図面を参照して説明する。各実施形態では、シート着脱装置を実装した電子機器として携帯電話機を例に挙げているが、携帯電話機に限らずＰＤＡ（Personal Digital Assistant）、電子辞書、ゲーム機、ノート型ＰＣ（Personal Computer）等、いわゆるモバイル品と言われる携帯型の電子機器に応用できる。また、各実施形態で用いられるシートには、保護シート、視野角制御シート、ミラーシート、反射防止シート等、種々のシートが適用可能である。
【００１２】
まず、本発明の第１実施形態に係るシート着脱装置及び電子機器について、図１〜図１０を参照して説明する。
【００１３】
図１及び図２は、本発明の第１実施形態に係る携帯電話機を示したものであり、図１はシートを収納した状態の概略外観図、図２は同側面模式図である。また、図３及び図４は、本発明の第１実施形態に係る携帯電話機を示したものであり、図３はシートをディスプレイ上に装着した状態の概略外観図、図２は同側面模式図である。なお図２では、カバー部５の内部構造が容易に理解できるように、説明の便宜上カバー部５の側面を擬似的に透明とした記載としている。
【００１４】
図１及び図３に示す携帯電話機は、上部筐体１及び下部筺体２から構成され、これらを連結するヒンジ部を回動軸にして開閉することが可能ないわゆる折り畳み型又はクラムシェル型と呼ばれる種類のものである。上部筐体１の上面１ａにはディスプレイ３及びシート着脱装置４が設けられており、側面１ｂには後に詳述する摺動溝７が切ってある。この摺動溝７は上部筐体１の左右両側面に形成されており、後に詳述する掛止部材６はこの摺動溝７に摺動自在に掛止される。一方、下部筺体２には例えばジョグダイアルや押ボタン等の操作部、データの入出力が行われる入出力部（図示略）等が配置されている。
【００１５】
図示しないが、携帯電話機の下部筺体２の上面は、上部筐体１に掛止されているシート着脱装置４に対応して形成されている。すなわち、下部筺体２の上面は、携帯電話機を折り畳んだときのシート着脱装置４のシート収納位置（図１参照）及び／又はシート装着位置（図３参照）に、当該シート着脱装置４の形状に対応した溝部が設けられている。これにより、携帯電話機を折り畳んだときに、下部筺体２の上面に形成された溝部にシート着脱装置４が嵌合して、携帯電話機を折り畳むことができる。
【００１６】
シート着脱装置４は、図１に示すシート収納状態において、例えばプラスチックなどから形成されたカバー部５の内部にシート８を巻回して収納する。また、掛止部材６が摺動溝７に沿って摺動することで、シート着脱装置４を構成するカバー部５は、ディスプレイ３の一方の端部近傍のシート収納位置（図１参照）と他方の端部近傍のシート装着位置（図３参照）との間で、該ディスプレイ３の上方を移動する。
【００１７】
シート８のディスプレイ３と対向する面（裏面）には、貼ったり剥がしたりを繰り返し行える接着剤が塗布されており、粘着性を有している。シート８の一方の端部９は、カバー部５が移動する際にシート８がずれるのを防止するとともにディスプレイ３に対するシート８の位置決めを行う目的で、携帯電話機の上面１ａのディスプレイ３近傍、かつ該ディスプレイ３に掛からない位置に接着される。また、シート８の他方の端部は、ローラ部１３に接着される。
【００１８】
カバー部５は、図５に示すように円柱面、側面５ａ，５ａ、さらに底面部５ｂからなる半円柱、もしくはいわゆる蒲鉾やトンネルのような形状であり、底面部５ｂには掃拭部１０が設けられている。底面部５ｂにはカバー部５の移動に伴いシート８をディスプレイに展開する際にシート８が通過できる孔１１が形成されている。
【００１９】
掃拭部１０は、カバー部５が図２の矢印で示されたシート展開方向（図２の状態から図４の状態へ向かう方向）に移動する際に底面部５ｂに形成された孔１１の進行方向側に配設される。これにより、カバー部５がディスプレイ３の上を移動するのに伴い、掃拭部１０がローラ部１３の前方でディスプレイ３の表面に接触する。掃拭部１０に用いられる素材は布やフェルトなど、ディスプレイ３の表示面を傷つけることなく掃除できるものであればよい。
【００２０】
このように構成されたシート着脱装置４は、カバー部５が摺動溝７に沿って移動する際に、ディスプレイ３に対してシート８の着脱を行うことができる。すなわち、例えば利用者がカバー部５を指で摘むなどしてシート着脱装置４の位置をシート収納位置（図１，２参照）からシート装着位置（図３，４参照）へ移動させると、シート８がディスプレイ３の表面に展開される。このとき、掃拭部１０がローラ部１３の前でシート８に接触してディスプレイ３の表面を拭き、ディスプレイ３の指紋や埃、ゴミ等を除去する。またカバー部５をシート装着位置（図３，４参照）からシート収納位置（図１，２参照）へ移動させると、シート８がカバー部５の内部に収納される。
【００２１】
図６は、シート着脱装置４の内部構造を示した説明図である。掛止部材６は、該掛止部材６を摺動溝７に掛止する鉤型の鉤部６ａを有し、この鉤部６ａが摺動溝７に嵌挿されて引っかかることで、掛止部材６が摺動溝７に掛止され、シート着脱装置が通常の使用下では携帯電話機から外れない構成となっている。また、掛止部材６は、カバー部５内にてローラ部１３を軸支する軸部１４と鉤のように（略直角に）接合している。
【００２２】
掛止部材６は、携帯電話機の両側面１ｂ，１ｂの摺動溝７，７に掛止されるものであるが、一例として図７に示すように、両掛止部材６，６を、ローラ部１３に軸通された軸部１４で接合して一体の構造とする。あるいは、図８に示すように、掛止部材６を略コの字状とし、鉤部６ａと反対側に接合された軸部１４の径に垂直な断面に凸部６ｂを形成し、該凸部６ｂをローラ部１３に形成された凹部１３ｂに嵌入するようにして、ローラ部１３を軸支する。本例のローラ部と軸部の構造は一例であり、この例に限らず、転がり軸受けや滑り軸受けなどにより軸部が円滑に回転できるようにするなど、種々の軸受け機構が適用できる。
【００２３】
このようなローラ部１３を有するカバー部５を、シート収納位置（図２参照）からシート装着位置（図４参照）へと移動させると、ローラ部１３が回転してシート８が引っ張り出され、カバー部５の孔１１を通過してディスプレイ３に展開され、貼り付けられる。そして、カバー部５がシート装着位置に達すると、ディスプレイ３の全面がシート８で覆われる。また、カバー部５をシート装着位置（図４参照）からシート収納位置（図２参照）へ移動させると、ローラ部１３が回転し、シート８がディスプレイ３から剥がされるとともにローラ部１３に巻きつけられ、カバー部５内に収納される。
【００２４】
携帯電話機の側面に形成される摺動溝７は、図２及び図４に示すように、ディスプレイ３の表面に対して所定の角度がつけられて形成されている。シート収納位置（図２参照）に近いところでは、シート８はローラ部１３に多数巻かれており、シート８の径は大きい。一方、シート装着位置（図４参照）に近いところでは、ディスプレイ３の大分部がシート８で覆われており、ローラ部１３に巻回されているシート８は少なく、シート８の径は小さい。したがって、摺動溝７をディスプレイ３もしくは上部筐体の上面１ａと平行に形成した場合、シート収納位置近傍ではシート８の最外周部とディスプレイ３との距離は小さくなり、逆にシート装着位置近傍では大きくなる。
【００２５】
シート８をディスプレイ３に装着することを考慮した場合、シート８とディスプレイ３との距離がより小さい方が、ディスプレイ３に対してシート８が浮いたりすることなく安定して貼り付けることができる。そこで、ローラ部１３の掛止部材６の鉤部６ａと摺動溝７との接点からディスプレイ３が設けられた上面１ａまでの距離が、シート収納位置近傍よりシート装着位置近傍における距離の方が大きくなるような傾斜をつけて摺動溝７を形成する。このとき、ローラ部１３に巻回されているシート８の量に応じて、巻回されているシート８の最外周部とディスプレイ３との距離がほぼ一定に保たれるような傾斜とすることが肝要である。これにより、シート８の最外周部を一定の力でディスプレイ３に押さえつけることができ、ディスプレイ３に対するシート８の安定した装着が可能になる。
【００２６】
このように摺動溝７をディスプレイ３の表面に対して傾斜させているため、カバー部５の移動に応じて、掛止部材６の軸部１４が上部筐体１の上面１ａに対して上下移動する。そのため、図５に示すように、カバー部５の側面５ａに形成した孔１２は、上下方向が軸部１４の径より大きく形成されている。これにより、軸部１４が側面５ａに形成された孔１２に当たらないので、掛止部材１６の上下移動に対応することができる。
【００２７】
図９は、掛止部材６についての説明図であり、Ａはシート着脱装置を携帯電話機に装着する前の状態、Ｂはシート着脱装置を携帯電話機に装着した後の状態をそれぞれ表している。前述したようにシート着脱装置４の掛止部材６は、プラスチック等の樹脂から形成されており、可撓性を有している。シート着脱装置４を装着時には掛止部材６，６を携帯電話機の側面１ｂ，１ｂに当接させ、側面１ｂ，１ｂから離れる方向へ撓ませる。そして、掛止部材６，６の鉤部６ａ，６ａが摺動溝７，７に嵌入すると、掛止部材６，６の撓みが解消され元の形状に戻るとともに、掛止部材６，６が摺動溝７，７に掛止される。
【００２８】
図１０は、シート着脱装置を携帯電話機から取り外す様子を説明するものであり、摺動溝に垂直な方向の断面模式図を表している。掛止部材６の鉤部６ａの先端部は、テーパーもしくは曲面等の傾斜部が形成されている。シート着脱装置４が携帯電話機に装着された状態では、掛止部材６が携帯電話機の側面１ｂの摺動溝７に掛止されている（図１０Ａ）。
【００２９】
図１０Ａの状態において、シート着脱装置４に対して上方への力を加えると、上方への引っ張り力Ｆに対し、鉤部６ａの傾斜部と摺動溝７の縁との接点に当該傾斜部と垂直な方向の抗力Ｎが生じる。抗力Ｎは側面１ｂに略垂直な分力Ｘと引っ張り力Ｆと反対方向の分力Ｙに分解できる。分力Ｘが作用することにより、摺動溝７の縁と鉤部６ａの傾斜部が当接しつつ側面１ａの外方へと移動する（図１０Ｂ）。
【００３０】
そして、鉤部６ａの傾斜部が摺動溝７の縁を超えると、側面１ａの平坦な面に当接した状態となる（図１０Ｃ）。図１０Ｃの状態において、抗力Ｎと掛止部材６が復元しようとする力が均衡しているので、シート着脱装置４はほとんど抵抗なく上方へ移動し、携帯電話機から取り外すことができる。
【００３１】
以上説明した構成の本発明によれば、携帯電話機のディスプレイ３に必要なときだけシート８を貼ることができ、必要のないときは携帯電話機と離さずに収納しておくことができる。例えばシート８がＡＲシートである場合、室内ではシートなし、屋外ではシートありとして、シートを携帯電話機にスマートに着脱できる。また、例えばシート８が保護シートである場合、携帯電話機をポケットに入れる場合や鞄に入れるときにはシートあり、携帯電話機を使用するときはシートなしとして、スマートに着脱できる。このように、状況に応じてシートの使い分けが可能となり、利便性が向上する。
【００３２】
また、ディスプレイ３にシート８を貼る前に必ず掃拭部１０でディスプレイ３を拭くことができるので、指紋や埃等をつけずにシート８を貼り付けられる。掃拭部１０はシート装着装置４すなわち携帯電話機に常時取り付けられているので、時間や場所を問わずに手軽にディスプレイ３を拭くことができる。
【００３３】
また、携帯電話機に対してシート着脱装置４を着脱自在に構成した場合、携帯電話機を購入後に各利用者が必要に応じてシート着脱装置４を購入すればよく、利用者の選択の幅が広がる。
【００３４】
なお、シート８のディスプレイ３と対向する面（裏面）の粘着性の有無に係わらず、本発明のシート着脱装置を電子機器に適用することができるが、粘着性があるシートに適用した場合、一度粘着面に付いた埃等の除去は困難であること考えると、ディスプレイを常にきれいに保ちシートの粘着面に埃等を付着させないという点で実施の効果は大きい。
【００３５】
次に、本発明の第２実施形態に係るシート着脱装置及び電子機器について、図１１〜図１５を参照して説明する。本実施形態では、上記第１実施形態と同様に、シート着脱装置を実装した電子機器として携帯電話機を例に挙げているが、その他の電子機器にも適用可能なことは言うまでもない。なお、本例において第１実施形態に対応する部分については同一符号を付し、詳細な説明は省略する。
【００３６】
上記第１実施形態においては、シート着脱装置４がシート装着位置（図４参照）からシート収納位置（図２参照）へ移動する際、シート８の接着剤が塗布された面（裏面）がローラ部１３に巻き込まれシート８の表面と接触するので、シート８の表面に指紋や埃、ゴミなどが付着していると、シートの接着面が汚れてしまう。そうすると、次に、シート着脱装置４を移動させてディスプレイ３にシート８を貼り付けたときに、ディスプレイ３とシート８の間に指紋や埃、ごみ等が入り、表示面が汚れてしまう。本第２実施形態は、このような事態を回避するために考案されたものである。
【００３７】
本発明の第２実施形態に係る携帯電話機について、シートを収納した状態及びディスプレイに装着した状態の側面模式図を、それぞれ図１１及び図１２に示す。本実施形態と第１実施形態との大きな相違は、ディスプレイを拭くための掃拭部２３ａに加え、新たにシートを拭くための掃拭部２３ｂを設けている点である。なお、掃拭部２３ａは、第１実施形態において説明した、ディスプレイを拭くための掃拭部１０に対応するものである。
【００３８】
図１１及び図１２に示すように、シート８を拭くための掃拭部２３ｂは、シート着脱装置２１のカバー部２２の底面部２２ａに、ディスプレイを拭くための掃拭部２３ａとは中心線を挟んで反対側に設置される。つまり、カバー部２２がシート装着状態（図１２参照）からシート収納状態（図１１参照）へ移動するときに、シート８がカバー部２２内へ収納される前に、シート掃拭部２３ａがシート８の表面を拭くことができるように構成されている。
【００３９】
図１３は、カバー部２２の概略斜視図である。本例のカバー部２２は、図５に示したものと略同様の形状であり、円柱面、側面２２ａ，２２ａ、さらに底面部２２ｂからなる半円柱、もしくはいわゆる蒲鉾やトンネルのような形状である。底面部２２ｂには掃拭部２３ａ，２３ｂが設けられる。図５の例では、カバー部５に形成された孔１１は底面部５ｂと円柱面に掛かっていたが、本例では、底面部２２ｂに形成している。これにより、掃拭部２３ｂを底面部２２ｂに設置する領域を確保するとともに、カバー部５の移動に伴いシート８がカバー部２２に収納される前に掃拭部２３ｂでシート８を拭くことができる。
【００４０】
続いて、シート８の端部９の固定方法について説明する。例えば、携帯電話機に対してシート着脱装置２１を着脱可能に構成した場合、シート８を携帯電話機の上面１ａに固定する必要がある。固定方法の一例としては、図１４に示すように、シート８を収納しているシート着脱装置２１の掛止部材６を、シート収納位置にて摺動溝７に掛止する。そして、カバー部２１の底面部２２ｂに設置された掃拭部２３ｂにより、シート８の端部９を携帯電話機上面１ａに押し付けるようにして接着する。底面部２２ｂが直接シート８と接触するのではなく掃拭部２３ｂが接触するので、底面部２２ｂがシート８の端部９に直接接触する場合と比較してシート８との接触面積が大きく、かつ適度な圧力をシート８の端部９に加えることができるので、より確実にシート端部９を携帯電話機の上面１ａに接着することができる。
【００４１】
図１５は、本実施形態において追加された掃拭部２３ｂによりシート８の表面を掃拭する様子を示した説明図である。シート着脱装置２１が矢印で示したシート装着位置（図１２参照）からシート収納位置（図１１参照）へ移動すると、シート８がローラ部１３に巻きつけられてカバー部２２内に収納されるが、このとき掃拭部２３ｂがローラ部１３の前でシート８の表面に接触してシート８を拭き、指紋や埃、ごみ等を除去することができる。
【００４２】
以上説明した構成の本発明によれば、カバー部２２の底面部２２ｂに掃拭部２３ｂを設置し、シート８をカバー部２２内に収納する前にシート８の表面を拭いてきれいにする構成としたので、シート８をローラ部に巻き込んだときにシート８表面の埃等が当該シート８裏面の接着面に付着せず、シート８を常にきれいな状態に維持することができる。したがって、後にシート８をディスプレイ３に展開したときにディスプレイ３とシート８の間に埃等が付着することが防止される。
【００４３】
勿論、シート８の裏面に粘着性がない場合にも本実施形態のシート着脱装置２１を適用してもよいことは言うまでもない。本実施形態は、その他上述した第１実施形態と同様の作用効果が得られることは勿論である。
【００４４】
次に、本発明の第３実施形態に係るシート着脱装置及び電子機器について、図１６を参照して説明する。本実施形態は、電子機器に取り付けたシート着脱装置にシートが収納されているときの当該シート着脱装置の配置を改善したものである。本実施形態では、上記第１及び第２実施形態と同様に、シート着脱装置を実装した電子機器として携帯電話機を例に挙げている。図１６において第１及び第２実施形態に対応する部分については同一符号を付し、詳細な説明は省略する。
【００４５】
図１６は、本実施形態における携帯電話機の概略外観図であり、Ａはカバー部がシート収納位置にある状態、Ｂはカバー部を回転させた状態を表している。図１６Ａにおいて、携帯電話機３０の側面に形成された摺動溝７に掛止部材６が掛止され、シート着脱装置３１のカバー部５がシート収納位置にある状態となっている。この状態からカバー部５を左に９０度回転させると、カバー部５が携帯電話機３０の先端部の側面３０ａに倒れ込み、図１６Ｂの状態となる。この状態では、カバー部５は、携帯電話機３０の上面から先端部に移動し、擬似的に携帯電話機と一体化された構成となる。
【００４６】
このような構成とすることで、上述した第１及び第２実施形態においては、携帯電話機３０の上面に対してシート着脱装置そのものが不要な凸部を構成していたが、本実施形態ではシート収納状態において携帯電話機の上面を、当該シート着脱装置を取り付ける前の状態とすることができる。例えば、携帯電話機を鞄などにしまった場合、本実施形態のシート着脱装置であれば、シート着脱装置が引っかからずに収納できる。あるいは、ポケットにしまった場合、シート着脱装置の出っ張りが気にならずにポケットに収納できる。本実施形態は、その他上述した第１実施形態と同様の作用効果が得られることは勿論である。
【００４７】
図１６の例では、スティック型携帯電話機を例に挙げたが、折り畳み型携帯電話機等、その他、種々の電子機器にも適用できることは勿論である。例えば、上記第１実施形態で説明したように、折り畳み型携帯電話機の場合、シート着脱装置を取り付けると下部筺体の上面の設計に制約が生じていたが、本例の構成を採用することにより、下部筐体の上面の設計自由度が向上する。
【００４８】
このように複数の実施形態を用いて説明したように、本発明は、携帯電話機等の電子機器のディスプレイに対し必要に応じてシートを自在に取り付けることができ、かつシートを取り外したときには該シートを、電子機器から離すことなく当該電子機器に装着されたシート着脱装置に収納することができる。したがって、必要に応じて利用者により適宜シートの着脱が可能となり、利用者の使い勝手が向上するとともに、電子機器とシートを別管理とする煩わしさから解消される。
【００４９】
なお、本発明は、上述した各実施形態に限定されるものではなく、本発明の要旨を逸脱しない範囲において、種々の変形、変更が可能であることは勿論である。
【００５０】
例えば、第１及び第２実施形態においては、軸部１４と掛止部材６によって鉤形（もしくは略直角なくの字）を形成していたものを、図１７に示すように、掛止部材の長さを軸部１４との接合点から延長して、当該掛止部材４１と軸部１４によって「丁の字」を形成する。軸部１４を間に挟んで掛止部材４１の鉤部６ａと反対側に延長された部分を摘み部４２とする。利用者がこの摘み部４２を摘んで側面５ａ方向に力を加えることで、掛止部材４１と軸部の接合部分を支点とするてこによって鉤部６ａが側面５ａから遠ざかる方向に移動する。このような構成とすることにより、両掛止部材４１，４１の鉤部６ａ，６ａ間の距離が可変となり、シート着脱装置を携帯電話機に自在に着脱することができる。
【００５１】
また、図１８に示すように、カバー部５の底面と軸部１４との間に圧縮ばねからなる弾性部材５１を設けた場合、掃拭部が形成されたカバー部５の底面部が常時ディスプレイに接触するので、シート着脱装置を移動させる際に余分な力を入れずにディスプレイ表面を拭くことができる。なお、弾性部材５１はこの例に限らず、圧縮ばねと同様の機能を持つ弾性部材であればよい。
【００５２】
また、携帯電話機用に、いわゆる着せ替えジャケット又は着せ替えパネルと呼ばれ、携帯電話機の筐体に装着することで、デザイン性の向上や筐体の保護を図る等の効果を奏する付属品もしくはアクセサリーが多数開発されている。本発明のシート着脱装置を、着せ替えジャケット又は着せ替えパネルと一体の構成としたり、あるいは携帯電話機に着せ替えジャケット又は着せ替えパネルを装着してさらにその上からシート着脱装置を取り付けられるようにした構造としてもよい。
【００５３】
また、用途に応じてシート着脱装置を取り替えたり、あるいはシート着脱装置を構成するカバー部内のシートのみを交換できるような構成としてもよい。
【００５４】
また、上記各実施形態では、シート着脱装置をディスプレイに対して上下に移動させていたが、シート収納位置及びシート装着位置をディスプレイの左右に設定してシート着脱装置をディスプレイに対して左右に移動させるようにしてもよい。
【図面の簡単な説明】
【００５５】
【図１】本発明の第１実施形態に係る携帯電話機の概略外観図（シート収納状態）である。
【図２】本発明の第１実施形態に係る携帯電話機の側面模式図（シート収納状態）である。
【図３】本発明の第１実施形態に係る携帯電話機の概略外観図（シート装着状態）である。
【図４】本発明の第１実施形態に係る携帯電話機の側面模式図（シート装着状態）である。
【図５】本発明の第１実施形態に係るシート着脱装置のカバー部の概略斜視図である。
【図６】本発明の第１実施形態に係るシート着脱装置の内部構造を示した説明図である。
【図７】本発明の第１実施形態に係るシート着脱装置のローラ部の説明図である。
【図８】本発明の第１実施形態に係るシート着脱装置のローラ部の他の形態の説明図である。
【図９】本発明の第２実施形態に係るシート着脱装置の係止部材の説明図である。
【図１０】本発明の第２実施形態に係るシート着脱装置を取り外す様子を示した説明図である。
【図１１】本発明の第２実施形態に係る携帯電話機の側面模式図（シート収納状態）である。
【図１２】本発明の第２実施形態に係る携帯電話機の側面模式図（シート装着状態）である。
【図１３】本発明の第２実施形態に係るシート着脱装置のカバー部の概略斜視図である。
【図１４】本発明の第２実施形態に係るシート端部の固定方法を示す説明図である。
【図１５】本発明の第２実施形態に係るシートの掃拭の様子を示す説明図である。
【図１６】本発明の第３実施形態に係る携帯電話機の概略外観図である。
【図１７】本発明によるシート着脱装置の他の形態を示した説明図である。
【図１８】本発明によるシート着脱装置の内部構造の他の形態を示した説明図である。
【符号の説明】
【００５６】
１…上部筐体、１ａ…上面、３…ディスプレイ、４，２１，３１…シート着脱装置、５，２２…カバー部、５ａ，２２ａ，３０ａ…側面、５ｂ，２２ｂ…底面部、６，４１…掛止部材、６ａ…鉤部、６ｂ…凸部、７…摺動溝、８…シート、９…端部、１０，２３ａ，２３ｂ…掃拭部、１１，２４…孔、１２…孔、１３…ローラ部、１３ａ…凹部、１４…軸部、４２…摘み部、５１…弾性部材
【図１】
2007243589.tif 000003
【図２】
2007243589.tif 000004
【図３】
2007243589.tif 000005
【図４】
2007243589.tif 000006
【図５】
2007243589.tif 000007
【図６】
2007243589.tif 000008
【図７】
2007243589.tif 000009
【図８】
2007243589.tif 000010
【図９】
2007243589.tif 000011
【図１０】
2007243589.tif 000012
【図１１】
2007243589.tif 000013
【図１２】
2007243589.tif 000014
【図１３】
2007243589.tif 000015
【図１４】
2007243589.tif 000016
【図１５】
2007243589.tif 000017
【図１６】
2007243589.tif 000018
【図１７】
2007243589.tif 000019
【図１８】
2007243589.tif 000020